(57)【要約】      （修正有）【課題】運搬や保管が容易であり、複数の壁面を備えた面白味に優れるボルダリング壁体を提供する。【解決手段】鋼材で組み立てられた、多角柱体形状を有する骨組み構造体２の周側面に、登攀用の手掛かり又は足掛かりとなるホールド４が取り付けられる複数のパネル部材３を脱着自在に取り付けたことを特徴とする、ボルダリング壁体１。多角柱体形状であるため、それぞれの壁面１０の傾斜角度を任意に設定でき、例えばある壁面は緩傾斜とし、他のある壁面は急傾斜とするといったことや、各壁面１０の傾斜角度を変えるなどといったことが可能であり、複数の異なる性質の壁面１０を備えた面白味に優れるボルダリング壁体１を提供することができる。また、鋼材とパネル部材３に分解できるので、運搬や保管が容易であり、イベントスペースなど任意の場所などに搬入して容易に組み立てることができる。【選択図】図１
2019208581.tif 000002
【特許請求の範囲】
【請求項１】
鋼材で組み立てられた、多角柱体形状を有する骨組み構造体の周側面に、
登攀用の手掛かり又は足掛かりとなるホールドが取り付けられる複数のパネル部材を脱着自在に取り付けたことを特徴とする、ボルダリング壁体。
【請求項２】
前記骨組み構造体は、棒鋼材で組み立てられ、
前記パネル部材は、周囲を棒鋼材で囲まれるように取り付けられていることを特徴とする、請求項１に記載のボルダリング壁体。
【請求項３】
前記パネル部材の外表面と、前記パネル部材の周囲を囲む位置にある棒鋼材の外側面は、同一平面に配置されていることを特徴とする、請求項２に記載のボルダリング壁体。
【請求項４】
前記棒鋼材には、前記パネル部材の裏面に当接して、前記パネル部材の外表面と、前記パネル部材の周囲を囲む位置にある棒鋼材の外側面を、同一平面に位置合わせさせる支持ブラケットが設けられていることを特徴とする、請求項３に記載のボルダリング壁体。
【請求項５】
多角柱体形状の隅角部分において、３本の前記棒鋼材の端部同士をスリーブ結合させる、隅角部分連結部材を備えることを特徴とする、請求項２〜４のいずれか一項に記載のボルダリング壁体。
【発明の詳細な説明】
【技術分野】
【０００１】
本発明は、ボルダリングに用いられるボルダリング壁体に関し、特に、運搬や設置等の作業が容易なボルダリング壁体に関する。
【背景技術】
【０００２】
近年、５ｍ以下程度の高さの壁を自分の手と足だけを使って登攀するボルダリングが流行している。ボルダリングは、落下衝撃を和らげるマットを用いることにより、ロープやハーネスといった特殊な用具を必要とせず、比較的手軽に一人でも楽しむことが可能なスポーツであり、最近では、室内などでも気軽にボルダリングを楽しむことができるように、自然の岩壁を模した人口壁を備えたボルダリング施設が増えつつある。
【０００３】
また、ボルダリングを自宅で行ったり、イベントスペースなどで体験できるように、運搬や設置等の作業が容易なボルダリング壁体も提案されている。例えば特許文献１には、クライミング用のホールドが設けられた人工壁を分解組立可能な基台に支持したクライミング用組立据え置き式人工壁装置が開示されている。また、特許文献２には、ホールドを表側に配設した一対の人工壁の上端部を連結し、下端部を開閉させることで、一対の人工壁の表側２面をフリークライミングに利用できるようにしたフリークライミング用人工壁装置が開示されている。さらに、特許文献３には、繊維強化樹脂によって形成した多角形状の筒体の外面にホールドを取り付けたボルダリングユニットを鉛直方向に段積みすることでボルダリングタワーを形成することが開示されている。
【先行技術文献】
【特許文献】
【０００４】
【特許文献１】特開２００３−９３５６９号公報
【特許文献２】特開２００４−１６６８５１号公報
【特許文献３】特許第６２３２５１３号公報
【発明の概要】
【発明が解決しようとする課題】
【０００５】
しかしながら、特許文献１に開示された発明は壁面が１面しかなく、多人数で同時に楽しむことができない構造である。また、特許文献２に開示された発明は壁面が２面あるものの、それらも壁面はいずれも緩傾斜（壁面の傾斜角度が９０°（垂直）に満たない角度）であり、オーバーハングした（壁面の傾斜角度が９０°（垂直）を超えるような急傾斜の）壁面とすることができず、面白味に欠けるといった課題がある。また、特許文献３に開示された発明は、繊維強化樹脂によって一体成型されたボルダリングユニットが筒状で相当な大きさを有しているため、運搬が容易でなく、また保管場所も広く必要になるといった課題がある。
【０００６】
本発明は、上記事情に鑑みてなされたものであり、運搬や保管が容易であり、複数の壁面を備えた面白味に優れるボルダリング壁体を提供することを目的とする。
【課題を解決するための手段】
【０００７】
上記課題を解決する本発明によれば、鋼材で組み立てられた、多角柱体形状を有する骨組み構造体の周側面に、登攀用の手掛かり又は足掛かりとなるホールドが取り付けられる複数のパネル部材を脱着自在に取り付けたことを特徴とする、ボルダリング壁体が提供される。
【０００８】
このボルダリング壁体において、前記骨組み構造体は、棒鋼材で組み立てられ、前記パネル部材は、周囲を棒鋼材で囲まれるように取り付けられていても良い。また、前記パネル部材の外表面と、前記パネル部材の周囲を囲む位置にある棒鋼材の外側面は、同一平面に配置されていても良い。さらに、前記棒鋼材には、前記パネル部材の裏面に当接して、前記パネル部材の外表面と、前記パネル部材の周囲を囲む位置にある棒鋼材の外側面を、同一平面に位置合わせさせる支持ブラケットが設けられていても良い。また、多角柱体形状の隅角部分において、３本の前記棒鋼材の端部同士をスリーブ結合させる、隅角部分連結部材を備えていても良い。
【発明の効果】
【０００９】
本発明のボルダリング壁体は、多角柱体形状であるため、それぞれの壁面の傾斜角度を任意に設定でき、例えばある壁面は緩傾斜とし、他のある壁面は急傾斜とするといった、設計によって各壁面の傾斜角度を変えることが可能であり、複数の異なる性質の壁面を備えた面白味に優れるボルダリング壁体を提供することができる。また、本発明のボルダリング壁体は、棒鋼材とパネル部材に分解できるので、運搬や保管が容易であり、イベントスペースなど任意の場所などに搬入して容易に組み立てることができる。
【図面の簡単な説明】
【００１０】
【図１】本発明の実施の形態に係るボルダリング壁体の斜視図である。
【図２】ボルダリング壁体の１つの壁面を示す正面図である。
【図３】ボルダリング壁体の１つの壁面の側面図であり、垂直の壁面を示している。
【図４】ボルダリング壁体の１つの壁面の側面図であり、急傾斜の壁面を示している。
【図５】ボルダリング壁体の１つの壁面の側面図であり、緩傾斜の壁面を示している。
【図６】パネル部材を取り外した状態の、骨組み構造体の一部分を示す説明図である。
【図７】パネル部材を表面側から見た説明図である。
【図８】骨組み構造体にパネル部材を取り付ける状態を示す説明図である。
【図９】棒鋼材の端部同士を隅角部分連結部材を用いてスリーブ結合させる形態の説明図である。
【図１０】３×４＝１２枚のパネル部材を取り付けた壁面の正面図である。
【発明を実施するための形態】
【００１１】
以下、本発明の実施の形態を図面を参照にして説明する。なお、各図において共通の構成要素には同じ符号を付することにより、重複した説明を省略する。
【００１２】
図１に示すように、本発明の実施の形態に係るボルダリング壁体１は、多角柱体形状を有する骨組み構造体２の周側面に、複数のパネル部材３を取り付けた構成を有している。図示の例では、ボルダリング壁体１は四角柱形状に形成され、周側面の４方向に３×３＝９枚のパネル部材３が取り付けられた壁面１０がそれぞれ形成されている。
【００１３】
パネル部材３の外表面には、登攀用の手掛かり又は足掛かりとなるホールド４が取り付けられ、それらを手掛かり、足掛かりとして、ボルダリング壁体１の各壁面１０においてボルダリングを楽しむことができる。ボルダリング壁体１の周囲には、衝撃吸収用のマット５が設置されており、仮に遊戯者が落下しても、その衝撃がマット５で和らげられて、怪我の発生が回避される。
【００１４】
図２に示すように、骨組み構造体２の各壁面１０は、例えば四角断面形状を有する角パイプ材やアングル材などの棒鋼材１１を複数本用いて格子状に組み合わせることにより、平面に構成されている。なお、図示はしないが、棒鋼材１１同士の接続は、適当な接続用金具やボルト、ナット等を用いて行われており、骨組み構造体２は、組み立て、および、分解を自在に行うことができる。
【００１５】
但し、各棒鋼材１１の長さや互いの接続角度の設定により、各壁面１０の傾斜角度は、所望の大きさにされている。例えば図３に示す壁面１０のように、接地面１２（床や地面など）に対して、傾斜角度θが９０°に設定された垂壁面や、図４に示す壁面１０のように、接地面（床や地面など）に対して、傾斜角度θが９０°よりも大きく設定された急傾斜面や、図５に示す壁面１０のように、接地面（床や地面など）に対して、傾斜角度θが９０°よりも小さく設定された緩傾斜面などに、任意に設計しておくことができる。なお、このように、各壁面１０の傾斜角度は９０°に限られず、ボルダリング壁体１全体は、厳密な意味での多角柱体形状をなすのではなく、実質的に多角柱体形状をなしている。
【００１６】
また、各パネル部材３は、棒鋼材１１で構成される格子の内部に配置され、各パネル部材３の外表面は、棒鋼材１１よりも外側に突出しないように取り付けられている。
【００１７】
図６に示すように、格子状に配置された棒鋼材１１の内部面（ボルダリング壁体１の外側に向いている棒鋼材１１の外側面と、ボルダリング壁体１の内側に向いている棒鋼材１１の内側面（裏面）との間に形成された棒鋼材１１の側面）には、パネル部材３の裏面に当接して、パネル部材３を支持する支持ブラケット１５が設けられている。支持ブラケット１５には、後述するようにパネル部材３を取り付ける際に、ボルト２５の先端を固定するためのネジ穴１６が設けられている。なお、支持ブラケット１５は、棒鋼材１１の内部面に溶接等で固定されている。
【００１８】
図７に示すように、パネル部材３には、複数箇所に分布させて孔２０が設けられている。パネル部材３の裏面側において、各孔２０に爪付ナット２１が取り付けられている。後述するように、これら各孔２０および爪付ナット２１を利用することにより、パネル部材３の表面にホールド４をボルト２６で取り付けることができる。
【００１９】
パネル部材３の周縁部には、支持ブラケット１５に設けられた各ネジ穴１６に対応する孔２２がそれぞれ設けられている。
【００２０】
図８に示すように、パネル部材３は、格子状に配置された棒鋼材１１の内部面の内側に挿入された状態で、構造体２に取り付けられる。パネル部材３は、人の体重を支えるのに十分な強度を有する厚さ（例えば２０ｍｍ程度）を有するコンパネ、構造用合板などからなり、任意の形状に切断加工することにより、格子状に配置された棒鋼材１１の内部面の内側に挿入可能な形状に容易に加工することができる。このようにパネル部材３を、格子状に配置された棒鋼材１１の内部面の内側に挿入することにより、パネル部材３の周囲が棒鋼材１１で囲まれた状態にされる。
【００２１】
また、このように格子状に配置された棒鋼材１１の内部面の内側に挿入されたパネル部材３の裏面には、棒鋼材１１の内部面に設けられた支持ブラケット１５が当接することとなる。この支持ブラケット１５は、棒鋼材１１の外側面からパネル部材３の厚さ（例えば２０ｍｍ程度）の分だけ、ボルダリング壁体１の内側に引っ込んだ位置に設けられている。したがって、格子状に配置された棒鋼材１１の内部面の内側に挿入されたパネル部材３の裏面を支持ブラケット１５に当接させることによって、パネル部材３の外表面と、当該パネル部材３の周囲を囲む位置にある棒鋼材１１の外側面を、同一平面に位置合わせすることができる。
【００２２】
こうして格子状に配置された棒鋼材１１の内部面の内側にパネル部材３を挿入し、パネル部材３の裏面を支持ブラケット１５に当接させた状態で、パネル部材３の外表面側から孔２２にボルト２５を挿入し、ボルト２５の先端を支持ブラケット１５に設けられたネジ穴１６にねじ込むことによって、パネル部材３を骨組み構造体２に取り付けることができる。なお、このようにパネル部材３をボルト２５で固定する場合、パネル部材３は格子状に配置された棒鋼材１１の内部面の内側に保持されるので、組み立て作業がしやすいといった利点がある。
【００２３】
そして、骨組み構造体２に取り付けたパネル部材３の外表面には、所望の位置において、孔２０および爪付ナット２１を利用することにより、ホールド４がボルト２６で取り付けられる。この場合、ボルト２６をを締め付ける前に、ボルト２６を中心にホールド４を回転させることにより、ホールド４の向きを任意に変えることができる。また、パネル部材３には、複数箇所に分布させて孔２０が設けられているので、孔２０の位置を選ぶことにより、ホールド４の位置も任意に変えることができる。
【００２４】
こうして、図１に示すように、多角柱体形状を有する骨組み構造体２の周側面に複数のパネル部材３を取り付けた構成のボルダリング壁体１において、各壁面１０に登攀用の手掛かり又は足掛かりとなる様々な種類のホールド４を所望の配置、角度で取り付けることによって、優しい課題や難しい課題が設定され、遊戯者は、各壁面１０に設定されたそれぞれの課題でボルダリングを楽しむことができる。
【００２５】
このボルダリング壁体１にあっては、角パイプ材やアングル材などの棒鋼材１１を格子状に組み合わせることにより組み構造体２を組み立てて、パネル部材３を取り付けるだけで構築することができるので、イベントスペースなど任意の場所で容易に組み立てることができる。また、各壁面１０の傾斜角度は、図３に示すような垂壁面、図４に示すような急傾斜面、図５に示すような緩傾斜面などに設計することにより、各壁面１０において趣向の異なるボルダリングを楽しむことができ、優れた面白味を提供できる。
【００２６】
また、図８で説明したように、パネル部材３の外表面と、当該パネル部材３の周囲を囲む位置にある棒鋼材１１の外側面が同一平面に位置合わせさせられているので、各壁面１０は実質的に単一の平面形状となっている。すなわち、パネル部材３の外表面と、当該パネル部材３の周囲を囲む位置にある棒鋼材１１の外側面が同一平面であることにより、両者間に段差が無く、遊戯者は、ホールド４のみを手掛かり又は足掛かりとしてボルダリングを楽しむことができる。このため、設定された難易度通りの課題を体験できるようになる。
【００２７】
一方、同一平面とは言え、外観的には、パネル部材３の外表面と棒鋼材１１の外側面が外から見えることとなる。このため、各壁面１０では、縦横に並んだ各パネル部材３が、格子状に配置された棒鋼材１１の間に現れる外観を示すことができ、意匠的にも優れている。例えば、各壁面１０毎に、ある壁面１０はパネル部材３の色を黄色で揃える、ある壁面１０はパネル部材３の色を赤色で揃える、ある壁面１０はパネル部材３の色を青色で揃える、などといったことも可能である。
【００２８】
さらに、このボルダリング壁体１は、角パイプ材やアングル材などの棒鋼材１１と、コンパネや構造用合板などのパネル部材３に分解できるので、運搬や保管が容易であるといった特徴がある。また、組み立てや分解する際には、パネル部材３は格子状に配置された棒鋼材１１の内部面の内側に保持されるので、ボルト２５の取り付け、取り外しが容易であり、作業がしやすい。
【００２９】
以上、本発明の実施形態について説明したが、本発明はかかる例に限定されない。当業者であれば、特許請求の範囲に記載された技術的思想の範疇内において、各種の変更例または修正例に想到しうることは明らかであり、それらについても当然に本発明の技術的範囲に属するものと了解される。
【００３０】
例えば、四角柱形状のボルダリング壁体１を例示したが、三角柱形状、あるいは、五角柱形状以上の多角柱体形状でも良い。また、複数本の棒鋼材１１を組み合わせて多角柱体形状の骨組み構造体２を組み立てる場合、例えば図９に示すように、多角柱体形状の骨組み構造体２の隅角部分において、３本の棒鋼材１１の端部同士をスリーブ結合させる隅角部分連結部材３０を用いても良い。この隅角部分連結部材３０は、所定の角度（互いに約９０°）で交差するように配置された３つのスリーブアウター部３１を有しており、３本の棒鋼材１１の端部には、スリーブインナー部３２がそれぞれ形成されている。そして、３本の棒鋼材１１の端部のスリーブインナー部３２を、隅角部分連結部材３０のスリーブアウター部３１にそれぞれ挿入することにより、インロー方式（釣り竿のつなぎ目のような接続構造）で３本の棒鋼材１１の端部同士を仮固定することができる。このように棒鋼材１１の端部同士を隅角部分連結部材３０で仮固定してとりあえず骨組み構造体２を自立させた後、ボルト等によって棒鋼材１１と隅角部分連結部材３０をしっかりと固定するようにすれば、骨組み構造体２の組み立て作業が容易となり、作業負担や作業時間を低減できる。また、棒鋼材１１同士の軸心の位置合わせ精度が向上し、さらに、棒鋼材１１同士の接合強度も向上するといった利点もある。なお、多角柱体形状の骨組み構造体２の隅角部分において棒鋼材１１の端部同士をスリーブ結合させる例を説明したが、棒鋼材１１の途中に棒鋼材１１の端部を結合する際に、同様なスリーブ結合を利用しても良い。また、棒鋼材１１と隅角部分連結部材３０を固定する場合や、棒鋼材１１の途中に棒鋼材１１の端部を固定する場合には、共通のボルト、ナットおよびワッシャ類を用いることにより、部品点数の増加による煩雑さが回避される。
【００３１】
また上述したように、棒鋼材１１の内部面に設けられた支持ブラケット１５が、棒鋼材１１の外側面からパネル部材３の厚さ（例えば２０ｍｍ程度）の分だけ、ボルダリング壁体１の内側に引っ込んだ（セットバック）位置にあるため、パネル部材３の外表面と棒鋼材１１の外側面が同一平面となり、両者間の段差を無くすことができる。棒鋼材１１は、ドブメッキという手法でメッキ処理されており、屋外でも比較的耐性の高い仕様になっている。なお、パネル部材３や棒鋼材１１はビジュアル面を考慮して塗装仕上げでカラフルにすることも可能である。
【００３２】
また、図１、２等では、各壁面１０において３×３＝９枚のパネル部材３を取り付けた形態を示したが、例えば図１０に示すように、各壁面１０あるいは一部の壁面１０において、３×４＝１２枚のパネル部材３を取り付けて、横に長い壁面１０を構成するなど、各壁面１０を構成するパネル部材３の枚数を任意に変更して、ボルダリング壁体１の幅や高さを自由に変えることができる。なお、パネル部材３は、なるべく共通のサイズ（例えば、９０ｃｍ×９０ｃｍ×２ｃｍ（厚さ））としておくことにより、例えば壁面１０の中央部分では場所に寄らず共通のサイズのパネル部材３を利用でき、互換性が高くなってパネル部材３の枚数が増えることによる作業負担の増加が回避される。また、このように会場やイベントの規模に対応して幅や高さを自由に変えることで、拡張性の高いボルダリング壁体１を提供できる。
【符号の説明】
【００３３】
１  ボルダリング壁体
２  骨組み構造体
３  パネル部材
４  ホールド
５  マット
１０  壁面
１１  棒鋼材
１２  接地面
１５  支持ブラケット
１６  ネジ穴
２０  孔
２１  爪付ナット
２２  孔
２５、２６  ボルト
【図１】
2019208581.tif 000003
【図２】
2019208581.tif 000004
【図３】
2019208581.tif 000005
【図４】
2019208581.tif 000006
【図５】
2019208581.tif 000007
【図６】
2019208581.tif 000008
【図７】
2019208581.tif 000009
【図８】
2019208581.tif 000010
【図９】
2019208581.tif 000011
【図１０】
2019208581.tif 000012